(57)【要約】      （修正有）【課題】外力によってロック片が過剰に入り込むことを防止する。【解決手段】一次ロック片４０が差し込まれる外壁（前壁１９）の少なくとも開口部の側を、外壁部２１と内壁部２３とを有する二重壁構造とし、外壁部２１から内壁部２３にかけて略Ｕ字形状をなすように切断部を設けるとともに、この切断部内に外壁１９の開口縁に対して平行に延びる折曲部を設け、この折曲部を境界として先端側に二次ロック片３０を形成するとともに、逆側に可動部３１を形成した二次ロック部２６を設け、かつ、二次ロック受部４２に、外壁１９における二次ロック部２６の切起部分を通して可動部３１の内面に当接する当接部５２を設けた構成とする。【選択図】図２
2012162306.tif 000002
【特許請求の範囲】
【請求項１】
一端または一側を多角形状の開口部とした箱本体と、この箱本体に連設されて前記開口部を閉塞する蓋壁とを備え、前記蓋壁に前記開口部周囲の所定の外壁の内側に差し込む一次ロック片を設けるとともに、この一次ロック片が差し込まれる前記外壁に二次ロック片を設け、この二次ロック片を前記蓋壁に形成した二次ロック受部のスリット部に挿入係止するようにした包装箱の二重ロック構造であって、
前記一次ロック片が差し込まれる前記外壁の少なくとも開口部の側を、外壁部と内壁部とを有する二重壁構造とし、
前記外壁部から内壁部にかけて略Ｕ字形状をなすように切断部を設けるとともに、この切断部内に前記外壁の開口縁に対して平行に延びる折曲部を設け、この折曲部を境界として先端側に前記二次ロック片を形成するとともに、逆側に可動部を形成した二次ロック部を設け、かつ、
前記二次ロック受部に、前記外壁における前記二次ロック部の切起部分を通して前記可動部の内面に当接する当接部を設けたことを特徴とする包装箱の二重ロック構造。
【請求項２】
前記二次ロック受部は、
前記二次ロック片の横幅より狭い間隔とした一対の第１切断部と、
これら第１切断部の先端から前記蓋壁の外周縁を越えて前記一次ロック片にかけて延びるように設けられ、その先端部間を前記二次ロック片の横幅と略同一間隔とした第２切断部と、
これら第２切断部の先端から略Ｕ字形状をなすように内向きに延びるように設けた第３切断部と、
前記第１切断部の前記一次ロック片と逆側の端部間にかけて延びるように設けた第１折曲部と、
前記第１切断部間にかけて延びるように設けられ、前記第１折曲部と所定間隔をもって位置する第２折曲部と、
前記第３切断部の端部間に位置するように設けた第３折曲部とを設け、
前記第１切断部、第１および第２折曲部により、前記蓋壁から内側へ屈曲して延びる連続部を形成し、
前記第１および第２切断部、第２および第３折曲部により、前記連続部と連続して前記蓋壁に対して所定間隔をもって略平行に延びる段部を形成するとともに、この段部と前記蓋壁との間に前記スリット部を形成し、更に、前記第３切断部により、前記当接部を形成している
ことを特徴とする請求項１に記載の包装箱の二重ロック構造。
【発明の詳細な説明】
【技術分野】
【０００１】
本発明は、一体的に形成した蓋壁を二重ロックするようにした包装箱の二重ロック構造に関するものである。
【背景技術】
【０００２】
この種の包装箱は、底壁の両側縁から側壁が立設され、前側縁および後側縁に前壁および後壁が立設されている。そして、後壁には、これら壁によって形成される上端の開口部を閉塞する蓋壁が連設されている。この蓋壁を一体成形した包装箱として、蓋壁が簡単に開放しないようにするために二重ロック構造を施したものが周知である。この二重ロック構造は、蓋壁の先端に連設した一次ロック片と、この一次ロック片が差し込まれる前壁に設けた二次ロック片とを備えている。一次ロック片には、蓋壁との境界部分の一部に二次ロック片を挿入係止するスリットが設けられている。二次ロック片は、前壁の一部を切り起こして設けられている。
【０００３】
特許文献１には、二次ロック片が内部に収容した商品に干渉することを防止した包装箱が記載されている。この包装箱は、蓋壁と一次ロック片との境界にスリットを設け、このスリットの両端近傍に後方向へ延びる押さえ板を設けている。この押さえ板は、スリットに差し込んだ二次ロック片の内側面に位置することにより、二次ロック片と内部の商品との干渉を防止する。
【０００４】
しかし、特許文献１の包装箱は、二次ロック片に対して前壁または蓋壁の側から外力が加わると、この二次ロック片が後壁側に入り込んでしまう。その結果、開封時に二次ロック片をスリットから引き抜く際の作業性が悪くなるという問題がある。この問題は、前壁を外壁部と内壁部とを有する二重壁構造とした場合、顕著に現れる。
【０００５】
また、特許文献２には、二次ロック片をスリットに差し込む際の作業性を向上できるようにした包装箱が記載されている。この包装箱は、スリットの両端部に位置するように蓋壁に前方向へ突出する突出片を設けている。この突出片は、スリットに二次ロック片を差し込む際に上側を規制する作用をなすため、差込作業性を向上できる。
【０００６】
しかし、特許文献２の包装箱は、二次ロック片に対して前壁の側から外力が加わると、やはり二次ロック片が後壁側に入り込むため、開封時の作業性が悪くなる。
【先行技術文献】
【特許文献】
【０００７】
【特許文献１】実開平４−５０６２７号公報
【特許文献２】特開２００３−２６７３５４号公報
【発明の概要】
【発明が解決しようとする課題】
【０００８】
本発明は、外力によってロック片が過剰に入り込むことを防止できる包装箱の二重ロック構造を提供することを課題とするものである。
【課題を解決するための手段】
【０００９】
前記課題を解決するため、本発明の包装箱の二重ロック構造は、一端または一側を多角形状の開口部とした箱本体と、この箱本体に連設されて前記開口部を閉塞する蓋壁とを備え、前記蓋壁に前記開口部周囲の所定の外壁の内側に差し込む一次ロック片を設けるとともに、この一次ロック片が差し込まれる前記外壁に二次ロック片を設け、この二次ロック片を前記蓋壁に形成した二次ロック受部のスリット部に挿入係止するようにした包装箱の二重ロック構造であって、前記一次ロック片が差し込まれる前記外壁の少なくとも開口部の側を、外壁部と内壁部とを有する二重壁構造とし、前記外壁部から内壁部にかけて略Ｕ字形状をなすように切断部を設けるとともに、この切断部内に前記外壁の開口縁に対して平行に延びる折曲部を設け、この折曲部を境界として先端側に前記二次ロック片を形成するとともに、逆側に可動部を形成した二次ロック部を設け、かつ、前記二次ロック受部に、前記外壁における前記二次ロック部の切起部分を通して前記可動部の内面に当接する当接部を設けた構成としている。
【００１０】
この包装箱の二重ロック構造では、前記二次ロック受部は、前記二次ロック片の横幅より狭い間隔とした一対の第１切断部と、これら第１切断部の先端から前記蓋壁の外周縁を越えて前記一次ロック片にかけて延びるように設けられ、その先端部間を前記二次ロック片の横幅と略同一間隔とした第２切断部と、これら第２切断部の先端から略Ｕ字形状をなすように内向きに延びるように設けた第３切断部と、前記第１切断部の前記一次ロック片と逆側の端部間にかけて延びるように設けた第１折曲部と、前記第１切断部間にかけて延びるように設けられ、前記第１折曲部と所定間隔をもって位置する第２折曲部と、前記第３切断部の端部間に位置するように設けた第３折曲部とを設け、前記第１切断部、第１および第２折曲部により、前記蓋壁から内側へ屈曲して延びる連続部を形成し、前記第１および第２切断部、第２および第３折曲部により、前記連続部と連続して前記蓋壁に対して所定間隔をもって略平行に延びる段部を形成するとともに、この段部と前記蓋壁との間に前記スリット部を形成し、更に、前記第３切断部により、前記当接部を形成していることが好ましい。
【発明の効果】
【００１１】
本発明の包装箱の二重ロック構造では、二次ロック受部に、外壁における二次ロック部の切起部分を通して二次ロック部の可動部の内面に当接する当接部を設けているため、二次ロック部に外力が加わっても、二次ロック片が二次ロック受部に対して過剰に入り込むことはない。よって、蓋壁の開封時に二次ロック片をスリット部から引き抜く際の作業性が悪くなることを防止できる。
【００１２】
また、二次ロック受部は、第１から第３の切断部および折曲部により、蓋壁に対して略平行に位置する段部を形成し、この段部と蓋壁との間に二次ロック片を挿入係止するスリット部を形成している。そのため、箱本体の開口部を蓋壁で閉塞し、二次ロック片を二次ロック受部のスリット部に挿入係止した状態では、外部と内部とを連通させる孔はない。よって、塵埃の侵入を確実に防止できる。
【図面の簡単な説明】
【００１３】
【図１】本発明に係る実施形態の二重ロック構造を施した包装箱を示す斜視図である。
【図２】包装箱の中央断面図である。
【図３】包装箱の封緘工程を示す斜視図である。
【図４】包装箱の他の封緘工程を示す斜視図である。
【図５】包装箱のブランクを示す平面図である。
【図６】（Ａ），（Ｂ）は図５の要部拡大平面図である。
【発明を実施するための形態】
【００１４】
以下、本発明の実施の形態を図面に従って説明する。
【００１５】
図１および図２は、本発明に係る実施形態の二重ロック構造を施した包装箱を示す。この包装箱は、箱本体の上端開口部を閉塞する蓋壁３８を後壁３６に一体成形し、この蓋壁３８を一対のロック片４０，３０によって二重ロックし、この封緘状態で外力によって各ロック片４０，３０が過剰に入り込むことを防止できるようにしたものである。なお、箱本体は、底壁１０と、外壁である側壁１１Ａ，１１Ｂ、前壁１９および後壁３６によって構成され、側壁１１Ａ，１１Ｂ、前壁１９および後壁３６の上端縁により四角形状の開口部が形成される。
【００１６】
この包装箱は、表ライナおよび裏ライナの間に波状の中しんを配設した周知の段ボール紙を、周知の紙器打抜装置（図示せず）によって図５に示す連続した一枚のブランクとして打ち抜き、所定部位を折り曲げることによって成形される。
【００１７】
包装箱のブランクは、図５に示すように、縦方向の中央部に横方向に延びる矩形状の底壁１０を備えている。この底壁１０には、左右の側縁に側壁１１Ａ，１１Ｂが連設されている。底壁１０および左右の側壁１１Ａ，１１Ｂの各境界には、肉厚を圧縮するように罫を入れて形成した第１折曲線１２が設けられている。
【００１８】
各側壁１１Ａ，１１Ｂの外側縁には、組立状態で内向きに折り込まれる内フラップ１３Ａ，１３Ｂが連設され、その各境界部分に第２折曲線１４が設けられている。また、各側壁１１Ａ，１１Ｂには、図中下側に位置する組立状態での前側縁に第１折込片１５Ａ，１５Ｂが連設され、その各境界部分に第３折曲線１６が設けられている。これら第１折込片１５Ａ，１５Ｂは、組立状態で後述する前壁１９の外壁部２１と内壁部２３との間に配置されるものである。さらに、各側壁１１Ａ，１１Ｂには、図中上側に位置する組立状態での後側縁に第２折込片１７Ａ，１７Ｂが連設され、その各境界部分に第４折曲線１８が設けられている。これら第２折込片１７Ａ，１７Ｂは、組立状態で後述する後壁３６の内面側に配置されるものである。
【００１９】
底壁１０の前側縁には前壁１９が連設され、その境界部分に第５折曲線２０が設けられている。本実施形態の前壁１９は、後述する一次ロック片４０が内側に差し込まれる外壁である。この前壁１９は、底壁１０に連続する外壁部２１と、この外壁部２１に連続する上壁部２２と、この上壁部２２に連続する内壁部２３とを備えた二重壁構造のものである。前壁１９には、横方向の中央に位置するように、外壁部２１から内壁部２３にかけて二次ロック部２６が設けられている。この二次ロック部２６を形成する領域を除き、外壁部２１と上壁部２２との境界には第６折曲線２４が設けられ、上壁部２２と内壁部２３との境界には第７折曲線２５が設けられている。
【００２０】
二次ロック部２６は、外壁部２１から内壁部２３にかけて延びる切断部２７を備えている。この切断部２７の一対の端部は外壁部２１に位置し、内壁部２３内を迂回して略Ｕ字形状をなすように延びている。図６（Ａ）に示すように、切断部２７の両端間には、第１折曲線１２と同様にして第１折曲部２８が設けられている。また、切断部２７内には、外壁部２１の上端縁（開口縁）である第６折曲線２４に対して平行に延びる第２折曲部２９が設けられている。この第２折曲部２９は、段ボール紙の肉厚分、第６折曲線２４より外壁部２１の側（組立状態で下側）に位置するように設けられている。これにより二次ロック部２６は、第２折曲部２９を境界として、後述する蓋壁３８の二次ロック受部４２に挿入係止する先端側の二次ロック片３０と、逆側の可動部３１とに区画されている。二次ロック片３０の先端には、半円形状をなす打抜部３２が設けられている。この打抜部３２は、二次ロック部２６と二次ロック受部４２との係止を解除する際に、指を当てて引き抜くための操作部である。
【００２１】
また、図５に示すように、内壁部２３には、端縁に一対の係合突部３３，３３が設けられている。これら係合突部３３，３３は、第５折曲線２０と接するように底壁１０に形成した係合穴部３４，３４に係合される。さらに、上壁部２２には、両側の外壁部２１から内壁部２３にかけて延びる一対の係止穴３５，３５が設けられている。これら係止穴３５，３５は、外壁部２１の側の横幅が内壁部２３の側の横幅より狭い台形状をなすように打ち抜きによって形成されている。
【００２２】
底壁１０の後側縁には後壁３６が連設され、その境界部分に第８折曲線３７が設けられている。図中上側に位置する後壁３６の上端縁には、底壁１０、側壁１１Ａ，１１Ｂ、前壁１９および後壁３６からなる有底筒状の箱本体の開口部を閉塞する蓋壁３８が連設され、その境界部分に第９折曲線３９が設けられている。この蓋壁３８には、組立状態で前壁１９の内壁部２３の内側に差し込まれる一次ロック片４０が連設されている。また、蓋壁３８には、横方向の中央に二次ロック受部４２が設けられるとともに、この二次ロック部２６の両側に一対の係止片５３が設けられている。これら二次ロック部２６および係止片５３の形成領域を除き、蓋壁３８と一次ロック片４０との境界には第１０折曲線４１が設けられている。
【００２３】
二次ロック受部４２は、図６（Ｂ）に示すように、左右対称に形成した２組の切断部４３〜４５と、折曲部４６〜４８によって形成されている。具体的には、二次ロック受部４２は、蓋壁３８の先端側に設けられ、二次ロック片３０の横幅より狭い間隔で平行に延びる一対の第１切断部４３，４３を備えている。これら第１切断部４３，４３の先端である一次ロック片４０の側の端部には、第２切断部４４が連続して設けられている。これら第２切断部４４は、蓋壁３８の外周縁である第１０折曲線４１を越えて一次ロック片４０にかけて延びるように設けられている。本実施形態の第２切断部４４は、第１切断部４３の端部から第１０折曲線４１にかけて外向きに広がるように傾斜して延びる第１部分４４ａと、この第１部分４４ａから一次ロック片４０内を平行に延びる第２部分４４ｂとを備えている。そして、これら第２部分４４ｂ，４４ｂの間は、二次ロック片３０の横幅と略同一間隔となるように形成されている。これら第２切断部４４の先端には、略Ｕ字形状をなすように内向きに旋回して延びる第３切断部４５，４５が連続して設けられている。この第３切断部４５の突出寸法Ｓは、前壁１９の肉厚と略同一としている。
【００２４】
また、二次ロック受部４２には、第１切断部４３，４３の後壁３６の側である一次ロック片４０と逆側に位置する端部間にかけて延びるように第１折曲部４６が設けられている。さらに、二次ロック受部４２には、第１折曲線に対して所定間隔をもって平行に位置するように、第１切断部４３，４３間にかけて延びる第２折曲部４７が設けられている。これら第１折曲部４６と第２折曲部４７の間は、略段ボール紙の肉厚の約２倍の寸法設定とされている、そして、二次ロック受部４２には、第３切断部４５，４５の内側端部間にかけて延びるように第３折曲部４８が設けられている。
【００２５】
このようにした二次ロック受部４２は、第１切断部４３、第１および第２折曲部４６，４７により、組立状態で蓋壁３８から底壁１０へ向けて内側へ屈曲して延びる連続部４９が形成される。また、第１および第２切断部４４，４５、第２および第３折曲部４７，４８により、連続部４９と連続して蓋壁３８に対して所定間隔をもって底壁１０の側へ平行に位置する段部５０が形成される。そして、この段部５０と蓋壁３８との間には、二次ロック片３０を挿入係止するスリット部５１が形成される（図４参照）。さらに、第３切断部４５，４５により、前壁１９の側に突出し、前壁１９における二次ロック部２６の切起部分を通して可動部３１の内面に当接する当接部５２が形成される。
【００２６】
係止片５３は、第１０折曲線４１上に両端が位置するように一次ロック片４０の側に台形状をなすように切断線５４を形成することにより、その内部に形成される。この係止片５３は、組立状態で蓋壁３８から前方に突出するとともに、面一に延びる。そして、前壁１９の上端の上壁部２２に形成した係止穴３５に係止する。
【００２７】
このように構成した包装箱のブランクは、打ち抜かれた展開状態のまま所定の納入先に出荷される。そして、所定の商品を包装する際に組み立てられる。
【００２８】
例えば、図３に示すように、まず、底壁１０に対して左右の側壁１１Ａ，１１Ｂを折り曲げるとともに、これら側壁１１Ａ，１１Ｂに対して各折込片１５Ａ，１５Ｂ，１７Ａ，１７Ｂを内向きに折り曲げる。その後、底壁１０に対して外壁部２１を折り曲げ、この外壁部２１に対して上壁部２２を折り曲げ、この上壁部２２に対して内壁部２３を折り曲げる。そして、この内壁部２３の係合突部３３を底壁１０の係合穴部３４に差し込む。また、この際には、前壁１９に形成した二次ロック部２６が外側に位置するように切り起こしておく。
【００２９】
ついで、側壁１１Ａ，１１Ｂに対して内フラップ１３Ａ，１３Ｂを折り曲げるとともに、底壁１０に対して後壁３６を折り曲げる。また、後壁３６に対して蓋壁３８を折り曲げるとともに、蓋壁３８に対して一次ロック片４０を折り曲げる。この際、図４に示すように、二次ロック受部４２の連続部４９が底壁１０の側に延びるように蓋壁３８に対して折り曲げるとともに、連続部４９および一次ロック片４０に対して段部５０が屈曲するように折り曲げる。そして、この状態で、一次ロック片４０を前壁１９の内側に差し込んで係止する。これにより、図示のように、係止片５３が前壁１９の上端の係止穴３５に係止する。また、段部５０が蓋壁３８に対して所定間隔をもって下側に位置し、その段差によって段部５０の周囲にスリット部５１が形成される。さらに、当接部５２が、二次ロック部２６を形成したことによる切起部分を通して前側に突出する。
【００３０】
最後に、二次ロック部２６の二次ロック片３０を可動部３１に対して折り曲るとともに、可動部３１を前壁１９の外壁部２１との境界である第１折曲部２８を中心として回動させる。そして、二次ロック片３０の先端両側部を当接部５２上に押し付けるようにして、二次ロック片３０をスリット部５１に挿入係止する。これにより、図１および図２に示すように、一体成形した蓋壁３８を一次ロック片４０および二次ロック片３０によって二重ロックすることができる。また、二次ロック部２６の可動部３１の内面には、二次ロック部２６の切起部分を通して突出した当接部５２が当接する。
【００３１】
この二重ロック状態の包装箱では、二次ロック受部４２に、二次ロック部２６の可動部３１の内面に当接する当接部５２を設けているため、二次ロック部２６に外力が加わっても、二次ロック片３０が二次ロック受部４２に対して過剰に入り込むことはない。よって、蓋壁３８の開封時に二次ロック片３０をスリット部５１から引き抜く際の作業性が悪くなることを防止できる。
【００３２】
また、二次ロック受部４２は、第１から第３の切断部４３〜４５および折曲部４６〜４８により、蓋壁３８に対して平行に位置する段部５０を形成し、この段部５０と蓋壁３８との間に二次ロック片３０を挿入係止するスリット部５１を形成している。そのため、封緘状態では、外部と内部とを連通させる孔はない。よって、塵埃の侵入を確実に防止できる。しかも、二次ロック片３０は段部５０の上側に位置するため、この二次ロック片３０が内部に収容した商品に干渉して傷付けることを防止できる。
【００３３】
さらに、蓋壁３８には前壁１９の上端に係止する係止片５３を設けているため、蓋壁３８に下向きの外力が加わっても、一次ロック片４０が過剰に入り込むことはない。よって、確実に封緘状態を維持できるとともに、塵埃が侵入する孔が形成されることを防止できる。
【００３４】
なお、本発明の包装箱の二重ロック構造は、前記実施形態の構成に限定されるものではなく、種々の変更が可能である。
【００３５】
例えば、前記実施形態では、一次ロック片４０を前壁１９の内側に差し込む構成としたが、一次ロック片４０の横幅を蓋壁３８の横幅に対して小さく形成し、前壁１９の上壁部２２に一次ロック片４０を差し込むスリットを設け、一次ロック片４０を前壁１９の外壁部２１と内壁部２３との間に差し込む構成としてもよい。
【００３６】
また、前記実施形態の二次ロック受部４２は、蓋壁３８と平行に位置する段部５０を有する構成とし、内部に収容する商品に二次ロック片３０が干渉しない構成としたが、連続部４９および段部５０は設けることなく、単に蓋壁３８と一次ロック片４０との境界部分に二次ロック片３０を挿入係止するスリット部５１を設け、そのスリット部５１の下部に二次ロック部２６の可動部３１に当接する当接部５２を設ける構成としてもよい。
【００３７】
さらに、前記実施形態では、平面視矩形状をなす包装箱としたが、側壁１１Ａ，１１Ｂと前壁１９および後壁３６の境界部分に面取壁を設けた平面視八角形状や平面視六角形状の包装箱としてもよい。特にこの場合、各ロック片４０，３０は、蓋壁３８の連続壁である後壁３９の対向位置に設ける必要はなく、対向部に隣接する面取壁などに２以上設ける構成としてもよい。
【００３８】
そして、前記実施形態では、一次ロック片４０が差し込まれる前壁１９全体を二重壁構造としたが、二次ロック部２６を形成する上側領域だけを二重壁構造としてもよい。また、前記実施形態では、包装箱の上端に開口部を形成したが、側部に開口部を形成した包装箱であっても、前記二重ロック構造は同様にして適用可能である。さらに、前記実施形態では、二次ロック受部４２の両側に当接部５２を一対設けたが、この当接部５２は中央に１箇所のみ設けてもよく、また、所定位置に３以上設けてもよい。
【符号の説明】
【００３９】
１０…底壁
１１Ａ，１１Ｂ…側壁
１９…前壁
２１…外壁部
２２…上壁部
２３…内壁部
２６…二次ロック部
２７…切断部
２８…第１折曲部
２９…第２折曲部
３０…二次ロック片
３１…可動部
３５…係止穴
３６…後壁
３８…蓋壁
４０…一次ロック片
４２…二次ロック受部
４３…第１切断部
４４…第２切断部
４５…第３切断部
４６…第１折曲部
４７…第２折曲部
４８…第３折曲部
４９…連続部
５０…段部
５１…スリット部
５２…当接部
５３…係止片
【図１】
2012162306.tif 000003
【図２】
2012162306.tif 000004
【図３】
2012162306.tif 000005
【図４】
2012162306.tif 000006
【図５】
2012162306.tif 000007
【図６】
2012162306.tif 000008